(57)【特許請求の範囲】
【請求項１】
使用者のベルト等に装着されて携帯される携帯型印字装置であって、
表面に、記録紙が排出される記録紙排出部が設けられた本体と、
この本体の裏面に装着されるとともに、この裏面に圧接させられて、前記本体との間で前記ベルト等を挟み込むクリップとを備え、
前記クリップが、前記本体の長さよりも短く形成され、前記本体を卓上に置いた際に、前記クリップの一部と前記本体の一部が前記卓表面に接触するようになされ、
かつ、前記クリップおよび前記本体の前記卓との接触部分に滑り止め部材を装着して成り、
前記本体を卓上に置いた状態において、前記本体が卓面に対して所定角度で傾斜するように、前記クリップの、前記卓面との接触部分の高さが設定されており、
さらに、前記傾斜して載置される本体の、高い位置に位置させられる天板部分に、情報入力等の操作をなす操作部が設けられていることを特徴とする携帯型印字装置。
【発明の詳細な説明】
【０００１】
【発明の属する技術分野】
本発明は、携帯型印字装置に関するものである。
【０００２】
【従来の技術】
一般に、商品等の物品に、たとえば、商品情報を印字したバーコードラベル等を貼付することが行われている。
また、このバーコードラベル等の発行を、商品を取り扱う現場にて行って、発行されたバーコードラベル等を即座に商品に貼付することも行われ、このために、作業者が携帯できる携帯型印字装置が提案されている。
そして、この携帯型印字装置を携帯する場合、従来においては、使用者のベルト等に掛け止めされるホルダーを用い、このホルダーに前記携帯型印字装置を挿入して持ち運び、使用時にホルダーから取り出して印字・ラベル発行操作を行うようにしている。
しかしながら、このような携帯の形態であると、別途ホルダーを用意する必要があり、コストの高騰を招いてしまう。
また、このような不具合を解消するために、携帯型印字装置の本体に、使用者のベルト等を挟み込むことによって前記本体をベルト等に固定するクリップを設けることも提案されている。
【０００３】
【発明が解決しようとする課題】
ところで、前述したように、本体にクリップを設けるような構成にあっては、携帯型印字装置を卓上において使用しようとした場合、前記クリップが邪魔になり、安定した姿勢で使用できないため、卓上で使用する場合には、前記クリップを取り外して使用しなければならないのが現状である。
しかしながら、卓上での使用時と携帯時と、その使用形態の変更毎にクリップを着脱しなければならないから、その使用形態が煩雑であるばかりでなく、クリップを着脱可能な構成としなければならないことから、構造が複雑になり、また、携帯時にクリップが外れて、本体が落下してしまうことも想定される。
【０００４】
本発明は、このような従来の問題点に鑑みてなされたもので、安全な携帯を確保し、かつ、卓上での使用時においても安定した姿勢での使用が可能な携帯型印字装置を提供することを目的とする。
【０００５】
【課題を解決するための手段】
本発明の請求項１に記載の携帯型印字装置は、前述した目的を達成するために、使用者のベルト等に装着されて携帯される携帯型印字装置であって、表面に、記録紙が排出される記録紙排出部が設けられた本体と、この本体の裏面に装着されるとともに、この裏面に圧接させられて、前記本体との間で前記ベルト等を挟み込むクリップとを備え、前記クリップが、前記本体の長さよりも短く形成され、前記本体を卓上に置いた際に、前記クリップの一部と前記本体の一部が前記卓表面に接触するようになされ、かつ、前記クリップおよび前記本体の前記卓との接触部分に滑り止め部材を装着して成り、前記本体を卓上に置いた状態において、前記本体が卓面に対して所定角度で傾斜するように、前記クリップの、前記卓面との接触部分の高さが設定されており、さらに、前記傾斜して載置される本体の、高い位置に位置させられる天板部分に、情報入力等の操作をなす操作部が設けられていることを特徴とする。
【０００６】
【発明の実施の形態】
以下、本発明の一実施形態を図面に基づいて詳細に説明する。
図１および図２において符号１は、本実施形態に係わる携帯型印字装置を示し、この携帯型印字装置１は、使用者のベルト等（図示略）に装着されて携帯される携帯型印字装置であって、表面に、記録紙Ｐが排出される記録紙排出部２が設けられた本体３と、この本体３の裏面に装着されるとともに、この裏面に圧接させられて、前記本体３との間で前記ベルト等を挟み込むクリップ４とを備え、前記クリップ４が、前記本体３の長さよりも短く形成され、前記本体３を卓Ｄ上に置いた際に、前記クリップ４の一部と前記本体３の一部が前記卓Ｄ表面に接触するようになされ、かつ、前記クリップ４および前記本体３の前記卓Ｄとの接触部分に滑り止め部材５・６を装着した基本構成となっている。
なお、クリップ４の内側面、すなわち、本体３の裏面に対向する面には、ラバー４ａが貼られている。
【０００７】
ついで、これらの詳細について説明すれば、前記本体３は、内部に、前記記録紙Ｐがロール状に巻回された状態で収納されており、前記記録紙排出部２と近接する位置には、前記記録紙Ｐへの印字を行う印字機構（図示略）が設けられている。
【０００８】
また、前記本体３の天板部分には、印字情報等の入力を行うとともに、記録紙Ｐの発行操作等を行うための操作部７が設けられている。
【０００９】
前記クリップ４は、前記本体３の裏面側で、前記操作部７に近接した位置に設けられた支持軸８に回動可能に装着されており、前記本体３の裏面との間に介装される略Ｖ字状のスプリング９によってその先端部が前記本体３の裏面に弾性的に圧接させられるようになっている。
そして、前記支持軸８は、前記本体３の裏面に、その幅方向に間隔をおいて一体に設けられた一対のフランジ１０によって支持されている。
【００１０】
そして、前記クリップ４は、図２に示すように、その長さが、前記本体３の長さよりも短く形成されていることにより、その先端部分において、前記本体３の裏面が露出させられており、この露出させられた本体３の裏面部分に、前記滑り止め部材６が装着されている。
この滑り止め部材６は、本実施形態においては、図２に示すように、本体３の幅方向に間隔をおいた２箇所に装着されている。
【００１１】
ここで、前記クリップ４は、前記本体３との連結をなす前記支持軸８の部分において、前記本体３の裏面から離間させられており、これによって、クリップ４は、その先端部に比して後端部側（操作部７側）が高くなるように装着され、この後端部に、前記滑り止め部材５が一体に装着されている。
したがって、図１に示すように、、両滑り止め部材５・６を前記卓Ｄに接触させて、前記本体３を卓Ｄ上に置いた状態において、この本体３が卓Ｄの面に対して所定角度で傾斜させられ、これに伴い、前記操作部７が若干上方を向くように位置されるようになっている。
【００１２】
さらに、前記クリップ４の先端部分は、前記本体３の裏面へ向かって突出するように円弧状の断面形状となされており、前記本体３との間にベルト等を挿入する際の案内部となされている。
【００１３】
このように構成された本実施形態に係わる携帯型印字装置１は、携帯時においては、前記クリップ４を回動させてその先端部を本体３の裏面から離間させて隙間を形成した後に、この隙間からベルト等を挿入してこのベルトを本体３の裏面との間で挟持することにより、使用者の腰に固定される。
この状態において、前記操作部７は上方へ向けられており、また、記録紙排出部２が外方へ向けられていることから、使用者は、腰に装着した状態でラベル等の発行操作を行うことができる。
あるいは、適宜、腰から取り外し、手に持って前述したような発行操作を行うことができる。
【００１４】
このような携帯時において、前記クリップ４は、支持軸８およびフランジ１０を介して本体３に一体に連結されていることから、クリップ４が本体３から離脱するようなことはなく、したがって、本体３の不用意な落下を防止することができる。
なお、ベルトなどへの装着時、クリップ４の本体３の裏面側に貼られたラバー４ａによって滑りにくく、この点からも前述した不用意な落下を防止することができる。
【００１５】
一方、卓Ｄ上で使用する場合には、前記クリップ４を下方にして本体３を卓Ｄ上に載置すると、図１に示すように、前記本体３が、本体３の底部に設けられている２個の滑り止め部材６と、前記クリップ４の後端部に装着されている滑り止め部材５との３点において支持されることにより、安定した姿勢に保持されるとともに、その滑りが防止される。
この結果、卓Ｄ上において安定した操作が可能となる。
しかも、本実施形態においては、クリップ４によって本体３が傾斜させられて、操作部７が若干上方へ向けられていることから、操作が容易である。
【００１６】
なお、前記実施形態において示しは各構成部材の諸形状や寸法等は一例であって、設計要求等に基づき種々変更可能である。
たとえば、前記滑り止め部材５・６の形状や設置数等は任意に設定できるものであり、また、その材質も、天然ゴムや合成樹脂製ゴム等、任意に設定できる。
【００１７】
【発明の効果】
本発明は以上のように構成されているので、携帯時おける不用意な落下を防止し、携帯型印字装置の損傷を防止することができる。
また、卓上での使用時に、本体の底部に設けられている滑り止め部材と、前記クリップの後端部に装着されている滑り止め部材とによって本体を支持することにより、装置を安定した姿勢に保持することができるとともに、その滑りを防止して、安定した操作を可能にする。
さらに、卓上での使用時に、クリップによって本体が傾斜させられることにより、操作部が若干上方へ向けることができ、この点からも卓上での操作部に対する操作が容易なものとなる。
【図面の簡単な説明】
【図１】本発明の一実施形態を示す一部を破断した側面図である。
【図２】本発明の一実施形態を示す底面図である。
【符号の説明】
１  携帯型印字装置
２  記録紙排出部
３  本体
４  クリップ
４ａ  ラバー
５  滑り止め部材
６  滑り止め部材
７  操作部
８  支持軸
９  スプリング
１０  フランジ
Ｄ  卓
Ｐ  記録紙
【図１】
0004473374.tif 000002
【図２】
0004473374.tif 000003